(57)【要約】【解決手段】合成樹脂製の底板１と、この底板１に被せ得る合成樹脂製の所定の深さを有する蓋体２とからなっている。前記底板１に叩打片３が連設されている。底板１に蓋体２を被せることによって形成される内部空間ａに、切り抜いて互いに組み立て得る複数枚の片を有する合成樹脂製の板Ｂ，Ｂ’が収納されている。【効果】容器Ａの中から取り出した合成樹脂製の板Ｂ，Ｂ’から複数枚の片を切り抜き、それらを互いに組み合わせて様々な模型おもちゃを組み立てることができる。そして、組み立てた模型おもちゃを使った様々な遊びができる。底板１に対して叩打片３を折曲させ、その反発力を利用して模型おもちゃを飛ばすことができる。【選択図】図１
0003127997.tif 000002
【実用新案登録請求の範囲】
【請求項１】
合成樹脂製の底板と、この底板に被せ得る合成樹脂製の所定の深さを有する蓋体とからなり、前記底板に叩打片が連設されていることを特徴とする合成樹脂製模型おもちゃ用容器。
【請求項２】
底板に蓋体を被せることによって形成される内部空間に、切り抜いて互いに組み立て得る複数枚の片を有する合成樹脂製の板が収納されていることを特徴とする請求項１記載の合成樹脂製模型おもちゃ用容器。
【請求項３】
底板に連設されている叩打片の基部に底板の周縁に平行な溝が形成され、この溝より外側において叩打片が前記周縁に対して所定角度を有するように延び出ており、斜めに延び出ているこの叩打片に前記周縁に対して斜め方向の溝を形成し、前記両溝部分がヒンジとなって底板に対して叩打片を折曲させ得るようにしたことを特徴とする請求項１又は２記載の合成樹脂製模型おもちゃ用容器。
【請求項４】
蓋体に孔が形成されていることを特徴とする請求項１又は２記載の合成樹脂製模型おもちゃ用容器。
【考案の詳細な説明】
【技術分野】
【０００１】
本考案は、合成樹脂製の底板とこの底記に被せ得る合成樹脂製の所定の深さを有する蓋体とからなる容器に関するものである。
【背景技術】
【０００２】
おもちゃ用の自動販売機から排出されるおもちゃは、通常、ガシャポンと呼ばれる容器（例えば、特許文献１参照）に入っている。
【０００３】
【特許文献１】特開２００５−３３９４７６号公報
【考案の開示】
【考案が解決しようとする課題】
【０００４】
このような容器は単におもちゃを収納するためのものであって、それ以外の活用法は考えられず、いずれは捨てられていた。
本考案は、中味を取り出した後にも模型おもちゃ遊びに再利用できるように工夫したものである。
【課題を解決するための手段】
【０００５】
上記目的を達成するため、本考案による模型おもちゃ用容器は、合成樹脂製の底板と、この底板に被せ得る合成樹脂製の所定の深さを有する蓋体とからなっており、前記底板に叩打片が連設されていることを特徴とするものである。
この容器によれば、底板を有しているので、この底板を利用して様々な模型おもちゃを使った遊びができるのみならず、少なくとも底板に叩打片が連設されているので、それを利用して様々な模型おもちゃを飛ばすことができる。
【０００６】
底板に蓋体を被せることによって形成される内部空間に、切り抜いて互いに組み立て得る複数枚の片を有する合成樹脂製の板を収納しておくことが望ましい。
この場合には、容器の中から取り出した合成樹脂製の板から複数枚の片を切り抜き、それらを互いに組み合わせて様々な模型おもちゃとして遊ぶことができる。切り抜いて互いに組み立てることができるものであれば、どのようなものでもよいが、底板ならびに蓋体を利用しておもちゃ遊びができるものがより一層望ましい。
【０００７】
底板に連設されている叩打片の基部に底板の周縁に平行な溝が形成され、この溝より外側において叩打片が前記周縁に対して所定角度を有するように延び出ており、斜めに延び出ているこの叩打片に前記周縁に対して斜め方向を向く溝を形成し、前記両溝部分がヒンジとなって底板に対して叩打片を折曲させ得るようにしてあることが望ましい。
底板の周縁に平行な溝部分をヒンジとして利用した場合には、前記周縁に対して所定角度を有するように延び出ている分だけ、叩打片は図６に示すように斜めに折曲され、この叩打片の反発力を利用して模型おもちゃを飛ばすことができる。
これに対して、斜めに延び出ている叩打片に形成されている前記周縁に対して斜め方向を向く溝部分をヒンジとして利用した場合には、前記周縁に対して所定角度を有するように延び出ている分が補正され、叩打片は図７に示すように底板の周縁に対して真直ぐに折曲され、この叩打片の反発力を利用して模型おもちゃを飛ばすことができる。
【０００８】
蓋体に孔が形成されていることが望ましい。この場合には、図９に示すように、この孔に模型おもちゃを差し込んで蓋体の上にセットして遊ぶことができるのみならず、別の孔に爪楊枝のような棒を差し込んで蓋体を持ち上げた状態にセットしたり、爪楊枝のような棒で支えて横向きに支持できる。
【考案の効果】
【０００９】
請求項１記載の考案によれば、単なるおもちゃ収納用の容器ではなく、底板を利用して様々な模型おもちゃ遊びを使った遊びができるのみならず、少なくとも底板に叩打片が連設されているので、この叩打片の反発力を利用して様々な模型おもちゃを飛ばすことができる。
【００１０】
請求項２記載の考案によれば、容器の中から取り出した合成樹脂製の板から複数枚の片を切り抜き、それらを互いに組み合わせて様々な模型おもちゃとして遊ぶことができる。
【００１１】
請求項３記載の考案によれば、底板の周縁に平行な溝とこの溝より外側において前記周縁に対して斜め方向を向く溝の両溝部分がヒンジとなって、底板に対して折曲させた叩打片の反発力を利用して様々な模型おもちゃを飛ばすことができる。
【００１２】
請求項４記載の考案によれば、蓋体に形成されている孔に模型おもちゃを差し込んで蓋体の上にセットして遊ぶことができるのみならず、別の孔に爪楊枝のような棒を差し込んで蓋体を持ち上げた状態にセットしたり、爪楊枝のような棒で支えて横向きに支持できるので、この蓋を利用して様々な遊びができる。
【考案を実施するための最良の形態】
【００１３】
本考案による合成樹脂製模型おもちゃ用容器の一例を、図面に基いて詳細に説明する。
この容器Ａは合成樹脂製の底板１と、この底板１に被せ得る合成樹脂製の所定の深さを有する蓋体２とからなっている。底板１の周縁部が一段低くなっており、その部分に蓋体２の内周縁部を嵌合させることにより、底板１に蓋体２を被せることができる。
なお、底板１の周縁部の複数箇所に係合爪１ｃ，１ｃが、また、蓋体２の内周縁部における前記係合爪１ｃ，１ｃと対向する部分には係合爪２ｃ，２ｃが形成されているので、底板１に蓋体２を被せたとき、両係合爪１ｃ，１ｃと係合爪２ｃ，２ｃとが係合し合って蓋体２が外れにくくしてある。
【００１４】
前記底板１には、叩打片３が連設されている。この容器Ａによれば、底板１を有しているので、この底板１を利用して様々な模型おもちゃを使った遊びができるのみならず、少なくとも底板１に叩打片３が連設されているので、この叩打片３を折曲させ、その反発力を利用して様々な模型おもちゃを飛ばすことができる。叩打片３の先端部分は他の部分よりも大きくしてあって、模型おもちゃを飛ばしやすいようにしてある。
なお、図３に示すように、蓋体２の側面には方形状の切欠孔２ｂが形成してあって、前記叩打片３は以下に示すヒンジ部分を折り曲げることにより、前記孔２ｂから容器Ａの内部空間ａに納めることができる。
【００１５】
叩打片３の基部には底板１の周縁に平行な溝３ａが形成され、この溝３ａより外側において叩打片３が前記周縁に対して所定角度を有するように延び出ており、斜めに延び出ているこの叩打片３に前記周縁に対して斜め方向を向く溝３ｂを形成し、前記両溝３ａ，３ｂ部分がヒンジとなって底板１に対して叩打片３を折曲させることができ、この叩打片３の反発力を利用して模型おもちゃを飛ばすことができる。
【００１６】
底板１の周縁に平行な溝３ａ部分をヒンジとして利用した場合には、前記周縁に対して所定角度を有するように延び出ている分だけ、叩打片３は図６に示すように斜めに折曲される。叩打片３が底板１に対して斜めに折曲されている場合には、模型おもちゃはフックないしスライスして飛ぶようになる。
【００１７】
これに対して、斜めに延び出ている叩打片３に形成されている前記周縁に対して斜め方向を向く溝３ｂ部分をヒンジとして利用した場合には、前記周縁に対して所定角度を有するように延び出ている分が補正され、先程の場合とは異なって叩打片３は図７に示すように真直ぐに折曲される。叩打片３が底板１に対して真直ぐに折曲されている場合には、模型おもちゃを真直ぐ飛ばすことができる。
【００１８】
底板１を利用して遊べるおもちゃ遊びとしては、模型のコマを回す遊びや紙相撲遊びなどが挙げられる。そのために、図４に示すように、底板１の片面にガイド溝１ａを形成したり、図５〜図７に示すように、その反対側の面を囲い枠１ｂ付きのエリアとすることができる。また、底板１に対して叩打片３を折曲させ、この叩打片３の反発力を利用して様々な模型おもちゃ、例えば、模型自動車や模型飛行機、模型ボールなどを飛ばすことができる。
なお、様々な模型おもちゃの飛ばし方に応じて手指で底板１を立てた状態に持って用いたり、水平状の寝かせた状態に押さえて用いることができる。
【００１９】
容器Ａの内部空間ａには、切り抜いて互いに組み立て得る複数枚の片４，５，６，７を有する合成樹脂製の板Ｂや板Ｂ’を収納しておくことができる。
この場合には、容器Ａの中から取り出した合成樹脂製の板Ｂや板Ｂ’から複数枚の片４，５，６，７を切り抜き、それらを互いに組み合わせて模型おもちゃとして遊ぶことができる。切り抜いて互いに組み立てることができるものであれば、どのようなものでもよいが、底板１ならびに蓋体２を利用しておもちゃ遊びができるものがより一層望ましい。
【００２０】
図８には、人形の模型おもちゃの一例が示されている。例えば、合成樹脂製の板Ｂに人形を描いた片４が形成されるように、また、合成樹脂製の板Ｂ’から前記人形に取り付け得るもの、例えば、２つの髪飾り片５，５、洋服片６、固定片７が形成されるように、合成樹脂製の板Ｂ，Ｂ’に切り離し線４ａ，５ａ，６ａ，７ａをそれぞれ施してある。そして、各切り離し線４ａ，５ａ，６ａ，７ａで囲まれる部分を手指で押えることにより、各片４，５，５，６，７を１枚の板Ｂ，Ｂ’から切り離すことができる。
【００２１】
各切り離し線４ａ，５ａ，６ａ，７ａを形成するに当っては、例えば、板Ｂ，Ｂ’の厚さに対して裏面に達しないようにわずかに残して食い込ませ、一部が接続状態を維持するようにしてもよいし、一部が不連続となるように切り離し線を設けてもよい。このようにすることにより、各片４，５，５，６，７がバラバラにならないように各片を板面に保持しておくことができる。
【００２２】
人形を描いた片４の頭の部分に切込溝４ｂ，４ｂを、また、足の付け根付近に切込溝４ｃを形成する。また、両髪飾り片５，５に切込溝５ｂを、洋服片６に切込溝６ｂを、固定片７に切込溝７ｂを形成する。
そして、人形を描いた片４の頭の部分の切込溝４ｂ，４ｂに、両髪飾り片５，５の切込溝５ｂ，５ｂを、人形を描いた片４の身体の部分に前記洋服片６を重ね合わせた上で、重なり合っている片４の切込溝４ｃと片６の切込溝６ｂに、固定片７の切込溝７ｂを嵌め合わせる。すると、図９に示すように、模型人形おもちゃＣを組み立てることができる。
【００２３】
図２に示すように、蓋体２には各種の孔２ａ，２ａが形成されている。したがって、組み立てられたこの模型人形おもちゃＣは、例えば、蓋体２に形成されている前記孔２ａに差し込んで蓋体２の上にセットして遊ぶことができる。また、この蓋体２の別の孔に爪楊枝のような棒を差し込んで蓋体２を持ち上げた状態にセットしたり、爪楊枝のような棒で支えて横向きに支持できるので、この蓋体２を利用して様々な遊びができる。
【００２４】
また、模型人形おもちゃＣを組み立てるのと同じ要領で、図８(b)に示す合成樹脂製の板Ｂ’の切り離し線８ａで切り離した２つのボール形成片８，８の切込溝８ｂ，８ｂを互いに嵌め合わせると、図１０に示すような模型ボールＤを組み立てることができる。そして、蓋体２を持ち上げた状態にセットしておき、それを仮にゴールとすれば、前記叩打片３を折曲させ、この叩打片３の反発力を利用してこの模型ボールＤを遠くへ飛ばすことによってバスケットボール遊びとなり、また、爪楊枝のような棒で支えて横向きに蓋体２を支持しておき、それを仮にゴールとすれば、前記叩打片３を折曲させ、この叩打片３の反発力を利用して前記模型ボールＤを遠くへ飛ばすことによってサッカーボール遊びとなる。さらに、前記模型ボールＤを野球のボールとして、あるいは、前記模型ボールＤをゴルフボールとして遠くへ飛ばすことができる。
【００２５】
なお、図示は省略するが、模型コマを組み立て、それを水平状に置いた底板１の片面に形成されている前記ガイド溝１ａ（図４）内のスペースや前記囲い枠１ｂ（図５〜図７）付きのエリア内で回して遊ぶことができる。また、模型自動車、模型飛行機、模型サッカー選手、模型バスケットボール選手など、様々な模型おもちゃを組み立て、それらを用いて底板１、蓋体２を利用した様々な遊びをすることもできる。
【００２６】
このように、合成樹脂製の板Ｂ，Ｂ’から切り離した各片から様々な模型おもちゃを組み立て、それらを用いて叩打片３を有する合成樹脂製の底板１とこの底板１に被せ得る合成樹脂製の蓋体２を利用して様々な遊びをすることができる。前記叩打片３を折曲させ、この叩打片３の反発力を利用して様々な模型おもちゃを飛ばすことができる。
【図面の簡単な説明】
【００２７】
【図１】本考案による合成樹脂製模型おもちゃ用容器の一例を示す正面図である。
【図２】本考案による合成樹脂製模型おもちゃ用容器の一部である蓋体のみの平面図である。
【図３】本考案による合成樹脂製模型おもちゃ用容器の一部である蓋体のみの側面図である。
【図４】本考案による合成樹脂製模型おもちゃ用容器の一部である底板の一例を示す平面図である。
【図５】底板の裏面の一例を示す平面図である。
【図６】１つのヒンジ部分から叩打片を折曲した状態を示す底板の平面図である。
【図７】他のヒンジ部分から叩打片を折曲した状態を示す底板の平面図である。
【図８】様々な片を切り離し得る合成樹脂製模型おもちゃ用の合成樹脂製の板の一例を示す平面図で、(a)は模型人形おもちゃの本体部分の板の一例を、(b)はこの人形おもちゃに取り付け得る片を有する板の一例を示す。
【図９】図８(a)，(b)に示す板から切り離した片を組み立てて作られた合成樹脂製模型人形おもちゃの一例を示す平面図である。
【図１０】図８(b)に示す板から切り離した片を組み立てて作られた合成樹脂製模型おもちゃの別の例を示す平面図である。
【符号の説明】
【００２８】
１…底板、２…蓋体、２ａ…孔、３…叩打片、３ａ，３ｂ…溝、４…片、Ａ…容器、ａ…内部空間、Ｂ，Ｂ’…板、Ｃ…模型人形おもちゃ。
【図１】
0003127997.tif 000003
【図２】
0003127997.tif 000004
【図３】
0003127997.tif 000005
【図４】
0003127997.tif 000006
【図５】
0003127997.tif 000007
【図６】
0003127997.tif 000008
【図７】
0003127997.tif 000009
【図８】
0003127997.tif 000010
【図９】
0003127997.tif 000011
【図１０】
0003127997.tif 000012